【手続補正書】
【提出日】平成25年9月3日(2013.9.3)
【手続補正１】
【補正対象書類名】特許請求の範囲
【補正対象項目名】全文
【補正方法】変更
【補正の内容】
【特許請求の範囲】
【請求項１】
マイクロフルイディック装置で相特性を分析するシステムであって、
流体を運ぶようになっていて、入口通路及び出口通路を有するマイクロチャネルと、
前記入口通路と流体連通状態にあり、前記流体を、前記入口通路を経て圧力下で導入するようになっている流体導入システムと、
前記流体の相状態を前記マイクロチャネルに沿って第１の複数の場所で検出するよう構成されると共に位置決めされた第１の光学検出システムと
を備え、
前記第１の光学検出システムは、前記マイクロチャネル内の前記流体の複数個のディジタル画像を生成し、また、前記複数個のディジタル画像に基づいて生成された複数個の二値画像に基づいて第１の複数の場所で、前記マイクロチャネル内の流体の気相を液相から区別するよう構成されると共にプログラムされた処理システムを含み、前記処理システムは、少なくとも部分的に前記複数個の二値画像に基づいて、複数の圧力について前記流体中の液体又は気体の体積比に関する値を推定するよう更にプログラムされているシステム。
【請求項２】
前記複数個のディジタル画像は、前記マイクロチャネルの複数の部分に差し向けられた光ファイバのアレイを用いて作られる、請求項１記載のシステム。
【請求項３】
前記流体の圧力を前記マイクロチャネルに沿って第２の複数の場所で測定するよう構成されると共に位置決めされた圧力測定システムを更に有する、請求項１記載のシステム。
【請求項４】
前記圧力測定システムは、
前記マイクロチャネル内の流体圧力を受けて変形するよう構成されると共に位置決めされた１つ又は２つ以上の変形可能なメンブレンと、
前記１つ又は２つ以上の変形可能なメンブレンの変形を検出するよう構成されると共に位置決めされた第２の光学検出システムとを有する、請求項３記載のシステム。
【請求項５】
前記流体は、貯留層流体、生物医学的流体、及び環境モニタリングと関連してモニタされている流体から成る群から選択された種類のものである、請求項１記載のシステム。
【請求項６】
少なくとも一部が前記流体の前記検出相状態に基づいて前記流体についてバブルポイント圧力を推定するよう構成されると共にプログラムされた処理システムを更に有する、請求項１記載のシステム。
【請求項７】
少なくとも一部が前記流体の前記検出相状態に基づいて前記流体についての相挙動と圧力の関係を推定するよう構成されると共にプログラムされた処理システムを更に有する、請求項１記載のシステム。
【請求項８】
少なくとも一部が前記流体の前記検出相状態に基づいて前記流体についての相体積分布比を推定するよう構成されると共にプログラムされた処理システムを更に有する、請求項１記載のシステム。
【請求項９】
前記マイクロチャネルは、実質的に矩形の断面を有する、請求項１記載のシステム。
【請求項１０】
前記マイクロチャネルは、少なくとも一部が、シリコン基板にエッチングされたチャネルと、前記第１の光学検出システムが前記マイクロチャネル内の前記流体の前記複数個のディジタル画像を生成することができるよう透明なガラス基板とによって構成されている、請求項１記載のシステム。
【請求項１１】
前記マイクロチャネルは、蛇行形状を呈すると共に少なくとも１メートルの長さを備えている、請求項１記載のシステム。
【請求項１２】
前記マイクロチャネルは、２マイクロメートルから数百マイクロメートルまでの範囲内の幅を備えている、請求項１記載のシステム。
【請求項１３】
マイクロフルイディック装置で相特性を分析する方法であって、
流体を運ぶようになっていて、かつ入口通路及び出口通路を備えたマイクロチャネルを用意するステップと、
前記入口通路を介して流体を前記マイクロチャネル中に圧力下で導入するステップと、  前記流体の相状態を前記マイクロチャネルに沿って第１の複数の場所で光学的に検出するステップと
を有し、
前記光学的検出ステップは、前記マイクロチャネル内の前記流体の複数個のディジタル画像を生成するステップと、前記複数個のディジタル画像に基づいて複数個の二値画像を生成するステップと、前記複数個の二値画像に基づいて、前記第１の複数の場所で、前記マイクロチャネル内の前記流体の液相から気相を区別するステップとを含み、前記光学的検出ステップは、少なくとも部分的に前記複数個の二値画像に基づいて複数の圧力について前記流体中の液体又は気体の比率に関する値を推定するステップを更に含む、方法。
【請求項１４】
前記流体の圧力を前記マイクロチャネルに沿って第２の複数の場所で測定するステップを更に有する、請求項１３記載の方法。
【請求項１５】
前記圧力は、前記マイクロチャネル内の流体圧力を受けて変形するよう位置決めされている１つ又は２つ以上の変形可能なメンブレンの変形を光学的に検出することによって測定される、請求項１４記載の方法。
【請求項１６】
前記流体は、貯留層流体、生物医学的流体、及び環境モニタリングと関連してモニタされている流体から成る群から選択された種類のものである、請求項１３記載の方法。
【請求項１７】
少なくとも一部が前記流体の前記検出相状態に基づいて前記流体についてバブルポイント圧力を推定するステップを更に有する、請求項１３記載の方法。
【請求項１８】
少なくとも一部が前記流体の前記検出相状態に基づいて前記流体に関する相挙動と圧力の関係を推定するステップを更に有する、請求項１３記載の方法。
【請求項１９】
少なくとも一部が前記流体の前記検出相状態に基づいて前記流体に関する相体積分布比を推定するステップを更に有する、請求項１３記載の方法。
【請求項２０】
前記マイクロチャネルは、実質的に矩形の断面を有する、請求項１３記載の方法。
【請求項２１】
前記マイクロチャネルは、少なくとも一部が、シリコン基板にエッチングされたチャネルと、前記光学検出システムが前記マイクロチャネル内の前記流体の複数個のディジタル画像を生成することができるよう透明なガラス基板とによって構成されている、請求項１３記載の方法。
【請求項２２】
前記マイクロチャネルは、蛇行形状を呈すると共に少なくとも１メートルの長さを備えている、請求項１３記載の方法。
【請求項２３】
前記マイクロチャネルは、２マイクロメートルから数百マイクロメートルまでの範囲にある幅を備えている、請求項１３記載の方法。
【手続補正２】
【補正対象書類名】図面
【補正対象項目名】全図
【補正方法】変更
【補正の内容】
【図１】
2013527424.tif 000001
【図２】
2013527424.tif 000002
【図３】
2013527424.tif 000003
【図４】
2013527424.tif 000004
【図５】
2013527424.tif 000005
【図６】
2013527424.tif 000006
【図７】
2013527424.tif 000007
【図８】
2013527424.tif 000008
【図９】
2013527424.tif 000009
【図１０】
2013527424.tif 000010
【図１１】
2013527424.tif 000011
【図１２Ａ】
2013527424.tif 000012
【図１２Ｂ】
2013527424.tif 000013
【図１３Ａ】
2013527424.tif 000014
【図１３Ｂ】
2013527424.tif 000015
【図１４Ａ】
2013527424.tif 000016
【図１４Ｂ】
2013527424.tif 000017
【図１５】
2013527424.tif 000018
【図１６】
2013527424.tif 000019
【図１７Ａ】
2013527424.tif 000020
【図１７Ｂ】
2013527424.tif 000021
【図１８Ａ】
2013527424.tif 000022
【図１８Ｂ】
2013527424.tif 000023
【図１９】
2013527424.tif 000024